(57)【要約】【課題】  乗用者などの保護すべき対象物を水害から護るための水害対策装置を提供すること。【解決手段】  乗用車や自動二輪車、各種農機などの車両をガレージ内に収容した際に水害から護るための水害対策装置であって、ガレージは、底側壁・左右側壁および背側壁の４面を少なくとも有するもので、その前面の開口に、防水戸を水密式に装備可能にしたことを特徴とする。【選択図】  図２
2006104922.tif 000002
【特許請求の範囲】
【請求項１】
乗用車や自動二輪車、各種農機などの車両をガレージ内に収容した際に水害から護るための水害対策装置であって、ガレージは、底側壁・左右側壁および背側壁の４面を少なくとも有するもので、その前面の開口に、防水戸を水密式に装備可能にしたことを特徴とする水害対策装置。
【請求項２】
請求項１記載のものにおいて、防水戸は角落とし式になっている水害対策装置。
【請求項３】
乗用車や自動二輪車、各種農機などの車両を含み保護すべき対象物を水害から護るための水害対策装置であって、保護すべき対象物の下回りを含みその外周範囲に及ぶ広い面積を有する防水性の外包シートを備え、同シートの略中央に保護すべき対象物がくるようにしてシートを敷設しておいて水害時に前記対象物が包み保護されるようになっていることを特徴とする水害対策装置。
【請求項４】
請求項３記載のものにおいて、外包シートは、それ自体が浮上性を備えてなる水害対策装置。
【発明の詳細な説明】
【技術分野】
【０００１】  本発明は、集中豪雨や高潮などに伴う水害から乗用車などが水没したりするのをなくすための水害対策装置に関する。
【背景技術】
【０００２】  例えば、異常気象の年には、水害が発生しやすく、その対策は遅々として進んでいないのが実状である。
【発明の開示】
【発明が解決しようとする課題】
【０００３】  ところで、水害のときには、家屋が浸水して床下や床上浸水といった被害につながるが、ガレージ内やカーポート下に収容しておいた乗用車でも水害に対しては無防備でマフラーからの浸水やエンジンや車室内への浸水などにより廃車になることも多々あり、影響は大きい。  上記に鑑み、本発明は、乗用者などの保護すべき対象物を水害から護るための水害対策装置を提供することを目的とする。
【課題を解決するための手段】
【０００４】  上記課題を解決するため、請求項１記載の発明は、乗用車や自動二輪車、各種農機などの車両をガレージ内に収容した際に水害から護るための水害対策装置であって、ガレージは、底側壁・左右側壁および背側壁の４面を少なくとも有するもので、その前面の開口に、防水戸を水密式に装備可能にしたことを特徴とする。  請求項２記載の発明は、請求項１記載のものにおいて、防水戸は角落とし式になっている。  請求項３記載の発明は、乗用車や自動二輪車、各種農機などの車両を含み保護すべき対象物を水害から護るための水害対策装置であって、保護すべき対象物の下回りを含みその外周範囲に及ぶ広い面積を有する防水性の外包シートを備え、同シートの略中央に保護すべき対象物がくるようにしてシートを敷設しておいて水害時に前記対象物が包み保護されるようになっていることを特徴とする。  請求項４記載の発明は、請求項３記載のものにおいて、外包シートは、それ自体が浮上性を備えてなる。
【発明の効果】
【０００５】  本発明によれば、乗用者などの保護すべき対象物を水害から護るための水害対策装置を提供することができる。保護すべき対象物を上半部まで広く覆うことにより、水害時だけでなく火山噴火に伴う火山灰降り掛かりの防止や冬季における車両窓ガラスの凍結防止などにも有効である。
【発明を実施するための最良の形態・実施例】
【０００６】    図１ないし図３は、本発明に係る水害対策装置の一実施形態を示す。図１および図２に示すように、１は簡易ガレージで、底側壁２・左右側壁３・背側壁４を備えたもので、底側壁２はモルタル製で、その他はブロック製でなる。図１および図２の左側は前面開口（出入り口）５の中には、図のような乗用車である保護すべき対象物Ａが収容されるようになっている。このガレージ１の天部には天井壁や天井板などが設けられることがある。  天井面にはソーラーパネルが構成されることがある。
【０００７】  前面開口５の左右両対向位置には、溝型鋼などによる受ガイド６，６が縦向きに固定して設けられ、その内面には、図１の左下欄に拡大して示すようにＬ形をなすゴム質の側面防水パッキン７がそれぞれ固着して設けられている。このパッキン７は、受ガイド６の溝底と奥側に添うように設けられるとともに、その表面側には凹凸が形成されている。
【０００８】  ８は防水戸で、共通のものが５枚用意され、それぞれは、図３に断面を示すように、２０ないし３０ｃｍの高さでその上下面に凹凸を有する上下面防水パッキン９が添設されている。防水戸８それ自体は、木材・ＦＲＰ・ＦＵＵ・軽量コンクリートなどで形成され、水害時には、これら防水戸８…を両受ガイド６，６内に沿うようにして落とし込むようにしてセットする。水害による水は、表側からのみ作用するので、防水戸８…はその積層した重さにより最も下側の上下面防水パッキン９が底側壁２に密着し上下面防水パッキン９，９同士が図３のように上下に密着し合って前方からの防水をする。また、防水戸８の両端は、側面防水パッキン７を押し付けて水密状態となる。こうして、水害から対象物Ａを護る。
【０００９】  尚、図３の右図のように、上下面防水パッキン９の表面全体を湾曲状に形成してもよい。  また、図１および図２に示すように、ガレージ１内には、浸水分を排除するための排水ポンプ１０を備えておいてもよい。この場合、ソーラー発電駆動してもよい。  さらに、防水戸８は、図１の左下図のように中空状にするなどして軽く運び易いものとし、別途錘や押し付け手段を装備してもよい。  水害時の水を利用して防水戸８に下向きの力が作用して水密性がアップするように、防水戸８をＩ形断面にしてその凹み個所に水が入るようにしてその水の重さで下がる力が作用するようにしてもよい。Ｉ形とすることで防水戸８が表裏対称となり、角落としの際に装入向きに拘わらず常に凹み個所が前側にくるようになって水の重さが作用するものとなる。仮にコの字形断面であると、装入の向きを間違うとその凹み個所が後向きになることもあり、その場合、水の重さが作用しなくなるおそれがある。
【００１０】  また、付加的な例であるが、図２に示すように、車両Ａにはその下回りにマフラ１２と排気パイプ１３が連設されているが、この排気パイプ１３を非常時に図４の装入栓具Ｂにより閉止可能にしてもよい。装入栓具は、先細り状のゴム質とした栓体１４と、同栓体１４の後端ボス部に固着した雌ネジ筒１５と、この雌ネジ筒１５にねじ込まれて回転により進退自在に装備された操作軸１６と、同操作軸１６の先端に回転自在に備えたテーパー状の牽き当て具１７とでなり、操作軸１６の後端にはリング形あるいはバー状をした回転操作具１８が取付られている。
【００１１】  栓体１４を排気パイプ１３に差し込む前の段階では、図４の右下図のように操作軸１６は栓体１４に対して前側に出て牽き当て具１７も前側にきているので、栓体１４の先端部は先細り状になっており、そのまま装入栓具Ｂをパイプ１３内に突っ込んで一杯まで差し込むとともに、栓体１４のパイプ１３外に出た部分を掴んだ状態で回転操作具１８を左回しに牽き出すようにする。それに伴い、牽き当て具１７が図４の上欄図のように右の方向に移動することによって栓体１４の先端部が膨らみ状に弾性変形して排気パイプ１３内に圧着するようになる。この際、栓体１４の基部寄り外周部もパイプ１３に圧着する。これにより、排気パイプ１３後端が閉栓された状態になって水の逆流による浸入が阻止されることになる。  一方、図２に仮想線で示すように、非常時には、排気パイプ１３に立ち上がり補助パイプ１１を防水可能に継ぎ足して排気パイプ１３から水が浸入しないようにすることもできる。
【００１２】  図５は、排気パイプ２０の後端外周に受リング２１を溶接あるいは止め着けにより固着しておき、そのリング２１に後方からマグネット２２を吸着させるようにした実施形態を示し、この場合、マグネット２２の外回りには軟質のカバー２３を備えて吸着時に水密状態が得られるように構成されている。尚、同マグネット２２は、排気パイプ２０にヒンジなどにより常備するようにしてもよい。その場合、ヒンジは排気パイプ２０の下回りに配備してぶら下がり状にマグネット２２を装備すると、排気に悪影響を及ぼすおそれがなく、この場合、マグネット２２には、フロートなどの浮力発生手段を付加して水に浸かると自動的に回転して閉止状態になるように構成してもよい。
【００１３】  図６は、簡易型のパイプ栓２５を示し、同栓２５は、内部が空洞部２６で外周が先細り状で凹凸状をなす嵌入部２７になっており、後端部が把持操作部２８となったもので、材料は水を通さないスポンジや軟質ゴムなどを選択する。矢印のように先端を排気パイプ２９内に差し入れて把持操作部２８をもって強制的に押し込むようにすることで確実に栓をすることができるものである。尚、パイプ栓は、ガムや樹脂粘土のような粘着質のものでもよい。
【００１４】  図７は、他の実施形態を示し、図１、図２と同様に底側壁３２と左右側壁３３および図示しない背側壁をモルタルやブロック積で構成したものにおいて、その前面開口に、下端をヒンジ３４で伏倒自在に支持した回転式防水戸３５を装備したものである。同防水戸３５は、ヒンジ３４の回りに水密パッキン３６を備えるとともに同図左上欄に平面図を示すように受レール３７の溝内に縦パッキン３８を備えてこれに防水戸３５の左右両端の斜め面３９が当って防水可能になっている。ヒンジ３４は上端に配置したり、左右縦向きに設置してもよい。
【００１５】  図８は、左右側壁４１の上側に平行な部分と同側壁４１の前面開口内側に添った部分に連続する左右一対のガイドレール４２に添って上下運動可能なようにローラー４３付きシャッター４４を装備したもので、シャッター４４はゴム質などで防水可能な構成を採っている。  尚、シャッター４４は、斜め前方下がりに閉止するようにしてもよい。
【００１６】  図９ないし図１１は、乗用車や自動二輪車、各種農機などの車両Ａを含み保護すべき対象物を水害から護るための水害対策装置であって、車両Ａの下回りを含みその外周範囲に及ぶ広い面積を有する長円形をした防水性の外包シート４６を備え、同シート４６の略中央に車両Ａがくるようにしてシート４６を敷設しておいて水害時に前記車両Ａが包み保護されるようになっているものである。外包シート４６は、それ自体が浮上性を有するもので、積極的に浮上性を確保するため、その外周ぐるりには、図１１の右下欄に断面を示すような発泡樹脂製のフロート４７を内蔵するものになっている。また、車両Ａのタイヤが通ったり駐車したりする個所に対応してゴムパッドなどによる丸形保護パッド４８や長円形保護パッド４９…を貼って増強してある。丸形保護パッド４８間や同パッド４８と長円形保護パッド４９間は、外包シート４６そのもので曲がって浮上しやすくなっている。
【００１７】  尚、外包シート４６の上面は、車両Ａに接触しても傷を付けないようにソフトな仕上げになっている。外包シート４６には、車両Ａの表面に吸着可能なマグネットを埋め込んでいてもよい。また、水害時には、図１０および図１１の仮想線のように外包シート４６が浮上して車両Ａを包み込むようにして保護するが、さらに、車両Ａを大きく包み込むことができる補助シート５０を外縁部５１内に予備的に内装しておいて延ばすことができるようにしてもよい。
【００１８】  図１２および図１３は、浮上型エアーバッグ式外包シート５４により積極的に車両Ａを包み込み水害から護るようにした実施形態を示す。外包シート５４は、それ自体浮上性がある場合とそうでない場合とがあり、その外周には、エアーバッグ５５が４辺の各辺に対応して設けられるとともに、丸いコーナー部分には細い幅の連通バッグ５６がそれぞれエアーバッグ５５に連通するようにして設けられている。そして、５７はエアーポンプで、同ポンプ５７は、家庭用電源や図示したソーラーパネル式太陽光発電装置５８により水害発生時にＯＮされるようになっている。５９は保護パッドである。
【００１９】  水害が発生すると、そのままでもエアーバッグ５５が浮上して車両Ａを外包シート５４が包み込むが、この実施形態では、エアーポンプ５７が駆動されることで矢印の経路でエアーバッグ５５内にエアーが強制的に送り込まれ、その際、エアーは連通バッグ５６を通じて持ち込まれるようになっている。エアーバッグ５５にエアーが溜まってくると浮上し、その際、連通バッグ５６は幅を細くしてあるので縮みやすくエアーバッグ５５が上向きに浮上してくるのに支障がないものである。エアーポンプ５７は、車両Ａの排気パイプからの排気ガスで膨らませることもできる。
【００２０】  図１４および図１５は、Ｈ型鋼よりなる支柱６２の４本を４点配置で埋め込み固定し、各支柱６２の溝が左右方向に対向するようにするとともに、その対向する溝内に第１パッキン６３を装着して、シール付き防水戸６４…の複数枚が角落とし式に装入されるようになっている。一方、支柱６２の１面のフランジには一対の縦ガイド６５が突設され、これらが前後に対向し合うようにされるとともに、その間には、第２パッキン６６を介して側面防水戸６７が上下複数段をなして差し込まれるようになっている。尚、側面防水戸６７および図１４の上側（奥側）の防水戸６４は複数段であるが図１４の右下欄のような１枚ものでもよい。また、これらの防水戸は、木材やＦＲＰ、ＦＦＵ樹脂、コンクリートなどを使用できる。さらに、６８は上支柱、６９は天井ルーフ材で、ルーフ６９上にはソーラーパネルを装備することもできる。７０は排水ポンプで、前記ソーラーパネルで連動可能である。こうした防水戸のうち、図１４の上側および左右両側については常備式であり、下側の防水戸６４については水害発生時に差し込まれるものである。
【００２１】  尚、図１４の右上欄に示すように、角パイプ製の支柱７２にしてもよく、また、アングル製の支柱７３にしてもよい。図１４の右下欄に示すように、前記縦ガイドは６５′で示す溝型鋼でなってもよい。
【００２２】  図１６は、ＦＲＰ製で一体型の防水保護体７６の前面開口７７に角落とし式に複数枚のシール付き防水戸７８…を装備できるようにしたものである。この保護体７６は、背面と左右両側面を備えてコの字形に成形されるとともに、その底フランジ７９の底面に底パッキン８０を備えて杭８１…で水密状に打ち込み固定できるようにしたもので、前面開口７７の両脇の溝内に前部パッキン８３を備えて防水戸７８…の防水性を確保するようにしてある。尚、防水戸７８のシールは拡大図のように、前後に複数段の凹凸を備えたものになっている。また、保護体７６は、トラックでの運送が法定内で行えるように高さや幅等を設定する。さらに、仮想線のように、接合フランジ８４により分割した保護体を現場で接合可能に構成して搬送を簡易化することもできる。
【００２３】  図１７は、昇降台８６上に車両Ａを載せてガイドレール８７で案内されるパンタグラフ８８により昇降台８６を持ち上げることで車両Ａを水害から回避させ得るようにしたものである。尚、同図の右欄に示すように、発泡樹脂のような浮上性のある浮上台９０を水害時に自動的に浮上できるようにするとともに、同浮上台９０をガイドバー９１により確実に昇降案内するように構成してある。
【００２４】  尚、付加的な提案例であるが、図１８に示すように地球の温暖化防止対策を実施してもよい。すなわち、１００は地球、１０１は月で、現状では矢印のように太陽からの光が一面側にふり注いでいるが、その光の通過経路に１あるいは２以上の衛星１０２…を配し、これらを利用して太陽光遮断膜１０３を張り、例えば、この遮断効果が地球１００上の赤道付近一帯に対応するように制御することで、地球の温暖化をきわめて簡単かつ効果的に防止することができる。  尚、同図右欄の図は、遮断とは逆に光を複数枚の反射膜１０５…により、例えば、極寒冷地に対応して光を屈折しながら到達させるようにすることで温暖化するようにしたものである。
【００２５】  図１９は、書類ロッカー１１０の横断面を示すもので、同ロッカー１１０は、板金製でロッカー本体１１１と引出し１１２とを備える。  ロッカー本体１１１は、背面板１１３と側面板１１４とを有するほかに、底面板と天面板そして上下間の引出しガイドを備える。これらでなるロッカー本体１１１は、図の下側である前面を除き全てが密閉状でなり、これらの面からは一切見ずが浸入しない構造になっている。前記前面には前フランジ１１５が折り返し状に形成されてなる。
【００２６】  引出しガイドにより図示のように出し入れ自在にされた引出し１１２は、引き手部分１１７を有する前板１１８と、上方が開放状の引出し本体１１９からなる。引出し本体１１９は、底面板１２０と奥面板１２１および側面板１２２とからなり、これらの面からも水が一切浸入しない構造になっている。また、前板１１８と引出し本体１１９とは一体化されてその結合部分からも水が浸入しない構造になっている。
【００２７】  そして、前フランジ１１５の前面側には、正面からみて矩形枠状をなす受パッキン１２４が取り付けられている。この受パッキン１２４は、前面が凹む受溝１２５を備え、例えば、プラスチック製、ゴム製、木製などにより形成されている。これに対し、前板１１８側には、受溝１２５内に嵌まり合い表からの水圧により更に密着するようなパッキン１２６がゴム製、プラスチック製などにより取り付けられている。
【００２８】  尚、右欄図のように、ロッカー本体１１１の前フランジ１１５に直接受溝１２５を形成してもよい。  また、図１９に仮想練で示すように、ロッカー本体１１１の左右両脇底部には、床面にロッカー１１０を固定し地震に備えるための固定ブラケット１２８を止着具１２９で固定するようにしてもよい。ブラケット１２８は、ロッカー１１０に固定してあるが、別体として鎖アンカーなどによりつないでもよい。  さらに、右欄図に仮想線で示すように、水密化したローラー１１０は浮力で浮ぶことがあるが、その場合、床面上の４点配置で立設したガイドバー１３１に添って同ロッカー１１０が浮上するように構成してもよい。１３２はガイドブラケットである。前記受溝１２５側およびパッキン１２６の双方あるいは一方は、マグネットゴムを使用してもよい。  上記水密構造は、机（脇机を含む）・金庫・パソコン・各種家具類の引出し構造にも適用があるほか、役場や病院、店舗、百貨店、処理場、公共設備などにおける引出し装置に全て適用があるものとする。
【００２９】  図２０は、引き違い戸１３５を備えた収納庫１３６の横断面図を示す。収納庫１３６は、底面板１３７、奥面板１３８、側面板１３９を備えてこれらが水密状をなす。側面板１３９の前縁部には、Ａ部拡大図のように、パッキン１４０が縦向きに取り付けられており、これに対する引き違い戸１３５側には受溝１４１が設けられている。Ｂ拡大図の部分は、引き違い戸１３５の相互に受溝１４３とパッキン１４４が設けられている。
【００３０】  尚、パッキン座ａとネジｂにより収納庫１３６を設置対象側に固定するようにしてもよい。
【００３１】  図２１は、防水ケースについてのもので、その前扉１４６は観音開き式であり、そのケース前面にはパッキン１４７が設けられ、この場合、パッキン１４７はケース側および前扉１４６の双方に貼り付けておいてもよい。また、前扉１４６相互間にもパッキンが設けられている。この防水ケースは、コンピューターを非常時に備えて入れるようにしたりその他の収納に自由に使用できる。
【００３２】  尚、１４８は吸気パイプ、１４９は排気パイプ、１５０はダクトファンであり、内熱の排気とともに外気の吸入を可能とし、これにより、収納したものを保全するようにしてある。この場合、洪水発生に同期して吸気パイプ１４８の経路に絞りを設けて吸気制限をする一方において排気パイプ１４９を通じて強制的に内部空気を抜くようにすることで内部を負圧状況下に置き、これにより、前扉１４６をより密閉化するように構成してもよい。また、同前扉１４６を内部から機械的に引っ張って密閉化するように構成してもよい（このことは他の実施形態でも同様に適用することがある）。
【００３３】  図２２は、樹脂製の水密型書類入れパック１５３を示す。同パック１５３は、自らの密着閉止機能とともに洪水時の外部水圧による密閉化機能も利用するタイプのもので、書類１５４…を入れる空間をもつ本体部分１５５と、その上側部分１５６とでなる。  本体部分１５５は、図示のものはＡ４サイズの書類１５４…を入れることが可能な空間を有するものであるが、このサイズは各種揃えるものとする。  上側部分１５６は、矢印のように開閉を可能とする可撓性のある一対の蛇腹部１５７を介して一対の開閉フランジ１５８を有し、これらの開閉フランジ１５８の各内面にマグネットゴム式の密着部１５９を備える。１６０は開閉操作部、１６１は折り曲げ許容線である。
【００３４】  このパック１５３は、密着部１５９により開閉フランジ１５８が密着することで常時全体が密閉化された状態になっている。一方、開閉操作部１６０をもって広げるようにすることで折り曲げ許容練１６１を介して蛇腹部１５７が変形することで上側部分１５６が開き、書類１５４の出し入れが可能となり、書類１５４を出し入れしたあとは、蛇腹部１５７の戻し機能により密着部１５９が合わさって密閉状態を得る。
【図面の簡単な説明】
【００３５】【図１】本発明の一実施形態を示す水害対策装置の平面図。
【図２】図１の縦断面図。
【図３】図１の要部拡大断面図。
【図４】排気パイプを閉栓する実施形態を示す断面図。
【図５】閉栓手段の他の実施形態を示す断面図。
【図６】閉栓手段の他の実施形態を示す断面図。
【図７】水害対策装置の他の実施形態を示す縦側断面図。
【図８】水害対策装置の他の実施形態を示す縦断面図。
【図９】水害対策装置の他の実施形態を示す平面図。
【図１０】図９の側面図。
【図１１】図９のＸ−Ｘ線断面図。
【図１２】水害対策装置の他の実施形態を示す縦断面図。
【図１３】図１２の平面図。
【図１４】水害対策装置の他の実施形態を示す平面図。
【図１５】図１４の正面図。
【図１６】ＦＲＰ製水害対策装置の一実施形態を示す斜視図。
【図１７】昇降型水害対策装置の一例を示す側面図。
【図１８】地球温暖化防止案を概要的に示す模式図。
【図１９】密閉型書類ロッカーについての実施形態を示す横断面図。
【図２０】密閉型収納庫についての実施形態を示す横断模式図。
【図２１】密閉型収納庫についての他の実施形態を示す斜視図。
【図２２】水密型書類入れパックについての実施形態を示す斜視図。
【符号の説明】
【００３６】  Ａ    車両  ８，３５，６４，７８  防水戸  ４６，５４  外包シート
【図１】
2006104922.tif 000003
【図２】
2006104922.tif 000004
【図３】
2006104922.tif 000005
【図４】
2006104922.tif 000006
【図５】
2006104922.tif 000007
【図６】
2006104922.tif 000008
【図７】
2006104922.tif 000009
【図８】
2006104922.tif 000010
【図９】
2006104922.tif 000011
【図１０】
2006104922.tif 000012
【図１１】
2006104922.tif 000013
【図１２】
2006104922.tif 000014
【図１３】
2006104922.tif 000015
【図１４】
2006104922.tif 000016
【図１５】
2006104922.tif 000017
【図１６】
2006104922.tif 000018
【図１７】
2006104922.tif 000019
【図１８】
2006104922.tif 000020
【図１９】
2006104922.tif 000021
【図２０】
2006104922.tif 000022
【図２１】
2006104922.tif 000023
【図２２】
2006104922.tif 000024